(57)【特許請求の範囲】
【請求項１】
給湯機のガス燃焼量を調整する調圧スイッチと、点火器と、バーナーへの点火を検知する着火検知手段と、前記調圧スイッチの操作が工場における操作か市場における操作かを判別する工場判別手段と、ガス燃焼量の設定値を記憶する不揮発性メモリーと、最大燃焼量データと最小燃焼量データを個々に調整するためのモードスイッチと、前記工場判別手段からの信号により、工場での調整時は前記不揮発性メモリーの工場値記憶エリアに設定値を記憶させ、市場での調整時は前記不揮発性メモリーの市場値記憶エリアに工場値を基準とした変化量を記憶させる燃焼量制御手段と、前記スイッチの特定操作により前記市場値記憶エリアを初期化する初期化手段を備えた燃焼制御装置。
【請求項２】
市場値記憶エリアが初期値から変更されている時、この変更の表示を行う表示手段を設けた請求項１記載の燃焼制御装置。
【請求項３】
燃焼制御手段は点火器の動作中または着火検知手段により燃焼確認中のみに限定して燃焼量データを変更する請求項１記載の燃焼制御装置。
【発明の詳細な説明】
【０００１】
【発明の属する技術分野】
本発明は、燃焼機器技術分野、特にガス給湯機等のガス燃焼機器の燃焼仕様の設定に関するものである。
【０００２】
【従来の技術】
従来、この種のガス給湯機では、ガス圧調整は最大燃焼量と最小燃焼量のガス圧の設定を複数の可変抵抗器で電圧設定することによって行い、最大と最小の間の比例制御をマイクロコンピュータ（以下、マイコンと呼ぶ）が行っていた。
【０００３】
そして工場出荷時、回転式の可変抵抗器の回転部と固定部にマジック等でマーキングすることによって工場出荷時のガス圧調整の保証をし、市場での設定変更の識別を行っていた。
【０００４】
【発明が解決しようとする課題】
しかし、従来の構成では、出荷後、機器への衝撃や、可変抵抗器の劣化、あるいは人為的な変更等でガス圧設定値が変化し、燃焼機器の異常燃焼が起こり、着火時または連続燃焼時のバーナの異常音等の不具合が生ずる可能性があった。
【０００５】
これに対処するため、マイコンの高性能化によるデジタル数値の分解能の向上を背景に、マイコンの出力するパルス幅の制御を利用したＰｕｌｓ  ＷｉｄｔｈＭｏｄｕｌａｔｉｏｎ（以下ＰＷＭと呼ぶ）方式を採用し、デジタル数値を不揮発性メモリーに記憶して燃焼量を制御し、前述した可変抵抗器を無くしたガス給湯機が登場するようになった。
【０００６】
しかし、ガス圧設定がスイッチ操作で可能となったため、工場で出荷時に設定された設定値が設置現場（以下市場と言う）で誤って変更される可能性が高くなっているという課題があった。
【０００７】
さらに、市場でガス圧設定が工場設定から変更されたかがすぐに判り、かつ簡単に工場でのガス圧設定に戻せるような機能を、不揮発性メモリーを効率的に使用しながら実現する必要があった。
【０００８】
【課題を解決するための手段】
本発明は上記課題を解決するために、工場での設定と市場での設定を信号で判別し、不揮発性メモリーにも、工場値記憶エリアと市場値記憶エリアを独立して記憶し、かつ、市場値記憶エリアは工場記憶値からの変化量として記憶し、ガス燃焼量の出力は（工場記憶値＋市場記憶値）により決定するとともに、市場値記憶エリアはスイッチの特定操作により初期化することができる構成としたものである。
【０００９】
このような構成により、工場値記憶エリアは市場で変更されることがないので、市場において容易に工場設定値に戻すことが可能であり、市場での調整範囲は限定されるので不揮発性メモリ−にも工場値と同じ情報量の市場値を記憶する必要がなく、メモリーの有効使用が可能となる。
【００１０】
【発明の実施の形態】
本発明は、給湯機のガス燃焼量を調整する調圧スイッチと、点火器と、バーナーへの点火を検知する着火検知手段と、前記調圧スイッチの操作が工場における操作か市場における操作かを判別する工場判別手段と、ガス燃焼量の設定値を記憶する不揮発性メモリーと、最大燃焼量データと最小燃焼量データを個々に調整するためのモードスイッチと、前記工場判別手段からの信号により、工場での調整時は前記不揮発性メモリーの工場値記憶エリアに設定値を記憶させ、市場での調整時は前記不揮発性メモリーの市場値記憶エリアに工場値を基準とした変化量を記憶させる燃焼量制御手段と、前記スイッチの特定操作により前記市場値記憶エリアを初期化する初期化手段とを有するものである。そして、市場値を初期化することにより、市場において容易に工場設定値に戻すことが可能であり、不揮発性メモリーにも工場値と同じ情報量の市場値を記憶する必要がなく、メモリーの有効使用が可能となる。
【００１１】
また、市場値記憶エリアが初期値から変更されている時、この変更の表示を行う表示手段を有するものである。そして、市場でガス圧設定値が変更されているかを表示の変更によって容易に判断することができる。
【００１２】
さらに、燃焼量データの変更は前記点火器の動作中、または前記着火検知手段により燃焼確認中のみに限定する燃焼量制御手段を設けたものである。そして、ガス圧設定のできる条件を限定することにより、市場での誤操作、いたずらによる設定値の変化を防止することができる。
【００１３】
以下、本発明の実施例について図面を参照して説明する。
（実施例１）
図１は、本発明の実施例１としてのガス給湯器の制御装置である。
【００１４】
図１において、燃焼量制御手段１はモードスイッチ５の状態により燃焼モードを判断し、各モード毎に不揮発性メモリー４の内部にある工場ＰＷＭ設定データエリア４ａと市場ＰＷＭ変更データエリア４ｂを読みだし、（工場ＰＷＭデータ＋市場ＰＷＭデータ）を最終のＰＷＭデータとし、データ値に応じたパルス幅の電気信号を信号変換手段１０に送る。信号変換手段１０は、パルス幅に応じたアナログ信号に変換し、バーナ１１の燃焼量（ガス圧）を制御する。
【００１５】
次に、工場、市場での最大燃焼量、最小燃焼量の調整方法について説明する。６は調圧スイッチであり、６ａを１回押す毎にＰＷＭデータが増加され、６ｂを１回押す毎にＰＷＭデータが減少される。工場での設定の場合は、工場判定手段３からの入力により、燃焼量制御手段１が工場での設定であると判断し、調圧スイッチ６が押される毎に、その時のモードスイッチ５から決定される燃焼モードの工場ＰＷＭ設定データを増減し、モードスイッチ５の変化があった時点で、工場ＰＷＭ設定データエリア４ａにデータを書き込む。また市場での設定の場合は、工場判定手段３からの入力により、燃焼量制御手段１が市場での設定であると判断し、調圧スイッチ６が押される毎に、その時のモードスイッチ５から決定される燃焼モードの市場ＰＷＭ変更データを増減し、モードスイッチ５の変化があった時点で、市場ＰＷＭ変更データエリア４ｂにデータを書き込む。
【００１６】
尚、市場ＰＷＭ変更データエリア４ｂは初期値０であり、初期状態では（工場ＰＷＭデータ＋市場ＰＷＭデータ）＝（工場ＰＷＭデータ）となっている。データ変更時にプラス、マイマスの符号付きで数値が記憶される。
【００１７】
次に、市場ＰＷＭ変更データを初期化する方法と市場での設定変更があった場合表示を行う方法について説明する。表示手段７は、モードスイッチ５で決定する燃焼モードの市場ＰＷＭ変更データエリア４ｂを確認し、初期値（ゼロ）以外のデータであれば、ＬＥＤ７ａ（または液晶等）を点灯させる。
【００１８】
また、調圧スイッチ６ａ、６ｂを同時に２秒間押すことにより、初期化手段２が市場ＰＷＭデータの初期化要求であると判断し、その時のモードスイッチ５から決定される燃焼モードの市場ＰＷＭ変更データを初期化（０クリア）し、市場ＰＷＭ変更データエリア４ｂにデータを書き込む。この時点で（工場ＰＷＭデータ＋市場ＰＷＭデータ）＝（工場ＰＷＭデータ）となるため、工場出荷時のＰＷＭデータすなわち工場出荷時の燃焼量に戻すことが出来、ＬＥＤ７ａも消灯することになるので、一目で工場出荷値に戻ったことが確認できる。
【００１９】
次に、ＰＷＭデータの変更タイミングを制限する方法について説明する。燃焼量制御手段１は、着火時に点火器９を動作させ、着火検知手段８からの信号で着火したことを確認している。すなわち、点火器９の動作中と着火検知中に限定して、調圧スイッチ６ａ、６ｂの操作を受け付けることにより、燃焼動作を行っていないときに、調圧スイッチ６の誤操作で燃焼量が変化してしまうことを防ぐ。
【００２０】
【発明の効果】
以上の説明から明らかなように、本発明の燃焼制御装置によれば次の効果が得られる。
【００２１】
市場での調圧値を、不揮発性メモリーの市場値記憶エリアに工場値を基準とした変化量を記憶し、かつ、市場値記憶エリアを初期化する手段を設けることにより、市場において容易に工場設定値に戻すことが可能であり、不揮発性メモリ−にも工場値と同じ情報量の市場値を記憶する必要がなく、メモリーの有効使用が可能となる。
【００２２】
また、市場値記憶エリアが初期値から変更されている時、表示を行うことにより、市場でガス圧設定値が変更されているかを表示の変更によって容易に判断することができる。
【００２３】
さらに、燃焼量データの変更は点火器の動作中、着火検知中に限定することにより、ガス圧設定のできる条件を限定し、市場での誤操作、いたずらによる設定値の変化を防止することができる。
【図面の簡単な説明】
【図１】本発明の実施例１における燃焼制御装置のブロック図
【符号の説明】
１  燃焼量制御手段
２  初期化手段
３  工場判別手段
４  不揮発性メモリー
５  モードスイッチ
６  調圧スイッチ
７  表示手段
８  着火検知手段
９  点火器
【図１】
0003760548.tif 000002